(57)【要約】  本願は、タグが、通常は人目に付かず、かつ人の手又は体の他の部分によって問い合わせ信号から容易に遮断されないように設計される、ＲＦＩＤタグを記載する。具体的には、前記ＲＦＩＤタグは、幾何学中心線上又は近くの背で本を保持する人の手を越えて延在する一方、余所目には目立たない本の上又は中の位置にタグを配置することを可能にする、長く細い外観を有するように設計される。前記ＲＦＩＤタグは、ダイポールセグメントと、前記ダイポールセグメントに接続されるループセグメントと、を含む。前記改良型ダイポールアンテナの前記ループセグメントは、従来のダイポールアンテナより大きな信号強度を有するアンテナを提供する。更に、前記導電性ループセグメントは、前記改良型ダイポールアンテナが前記ＲＦＩＤタグの集積回路（ＩＣ）チップのインピーダンスと整合することを可能にする、改善されたインピーダンス整合能力も提供する。【選択図】図４
2011501513.tif 000002
【特許請求の範囲】
【請求項１】
無線周波数識別（ＲＦＩＤ）タグのためのダイポールアンテナであって、
第１の導電性配線から形成される直線ダイポールセグメントと、
第２の導電性配線から形成され、前記直線ダイポールセグメントに電気的に接続されるループセグメントと、を備え、
前記ダイポールアンテナの幅が前記第１及び第２の導電性配線のうちの小さいほうの幅の４倍以下である、ダイポールアンテナ。
【請求項２】
前記ループセグメントは、前記直線ダイポールセグメントが前記ループセグメントを越え両方向に等距離で延在するように、前記直線ダイポールセグメントに沿って対称に配置される、請求項１に記載のダイポールアンテナ。
【請求項３】
前記ループセグメントは、前記直線ダイポールアンテナの第２の部分が前記ループセグメントを越え反対方向に延在するよりも更に遠い距離まで、前記直線ダイポールセグメントの第１の部分が前記ループセグメントを越え第１の方向に延在するように、前記直線ダイポールセグメントに沿って非対称に配置される、請求項１に記載のダイポールアンテナ。
【請求項４】
前記直線ダイポールセグメントは、折返しダイポールセグメントを形成するための折曲がる折返しセグメントを含む、請求項１に記載のダイポールアンテナ。
【請求項５】
前記ダイポールアンテナの幅が約６ミリメートル（ｍｍ）未満であり、前記ダイポールアンテナの長さが約１００ｍｍを超える、請求項１に記載のダイポールアンテナ。
【請求項６】
前記ダイポールアンテナの前記幅が約４ｍｍ以下である、請求項５に記載のダイポールアンテナ。
【請求項７】
前記ダイポールアンテナの前記長さが約１２５ｍｍ〜１５０ｍｍの間である、請求項５に記載のダイポールアンテナ。
【請求項８】
前記ダイポールアンテナの前記長さが約１３０ｍｍ〜１３５ｍｍの間である、請求項７に記載のダイポールアンテナ。
【請求項９】
前記ダイポールアンテナが、無線周波スペクトルの極超短波（ＵＨＦ）帯域内で動作するように構成される、請求項１に記載のダイポールアンテナ。
【請求項１０】
前記第１及び第２の導電性配線のうちの少なくとも１つが、選択した製造プロセスの最小の配線幅である、請求項１に記載のダイポールアンテナ。
【請求項１１】
無線周波数識別（ＲＦＩＤ）タグであって、
第１の導電性配線から形成される直線ダイポールセグメントと、第２の導電性配線から形成され、前記直線ダイポールセグメントに電気的に接続されるループセグメントと、を含む改良型ダイポールアンテナであって、そして
前記改良型ダイポールアンテナの幅が約６ミリメートル（ｍｍ）未満であり、前記改良型ダイポールアンテナの長さが約１００ｍｍを超える、前記改良型ダイポールアンテナと、
前記改良型ダイポールアンテナに電気的に接続される集積回路と、を備える、無線周波数識別（ＲＦＩＤ）タグ。
【請求項１２】
前記ダイポールアンテナの前記幅が約４ｍｍ以下である、請求項１１に記載のＲＦＩＤタグ。
【請求項１３】
前記ダイポールアンテナの前記幅が前記第１及び第２の導電性配線のうちの小さいほうの幅の４倍以下である、請求項１１に記載のＲＦＩＤタグ。
【請求項１４】
前記ループセグメントは、前記直線ダイポールセグメントが前記ループセグメントを越え両方向に等距離で延在するように、前記直線ダイポールセグメントに沿って対称に配置される、請求項１１に記載のＲＦＩＤタグ。
【請求項１５】
前記ループセグメントは、前記直線ダイポールアンテナの第２の部分が前記ループセグメントを越え反対方向に延在するよりも更に遠い距離まで、前記直線ダイポールセグメントの第１の部分が前記ループセグメントを越え第１の方向に延在するように、前記直線ダイポールセグメントに沿って非対称に配置される、請求項１１に記載のＲＦＩＤタグ。
【請求項１６】
前記直線ダイポールセグメントは、折返しダイポールセグメントを形成するための折曲がる折返しセグメントを含む、請求項１１に記載のＲＦＩＤタグ。
【請求項１７】
前記ＲＦＩＤタグの少なくとも１つの表面上に、少なくとも１つの接着層を更に備える、請求項１１に記載のＲＦＩＤタグ。
【請求項１８】
前記ダイポールアンテナの前記長さが約１３０ｍｍ〜１３５ｍｍの間である、請求項１１に記載のＲＦＩＤタグ。
【請求項１９】
前記集積回路が、前記改良型ダイポールアンテナの前記ループセグメント内で前記改良型ダイポールアンテナに電気的に接続される、請求項１１に記載のＲＦＩＤタグ。
【請求項２０】
前記集積回路が、前記改良型ダイポールアンテナの前記直線ダイポールセグメント内で前記改良型ダイポールアンテナに電気的に接続される、請求項１１に記載のＲＦＩＤタグ。
【請求項２１】
前記ＲＦＩＤタグの幅が約１０ｍｍ未満である、請求項１１に記載のＲＦＩＤタグ。
【請求項２２】
前記ＲＦＩＤタグの前記幅が約７ｍｍ未満である、請求項２１に記載のＲＦＩＤタグ。
【請求項２３】
前記ＲＦＩＤタグの前記幅が前記改良型ダイポールアンテナの前記幅とほぼ等しい、請求項２２に記載のＲＦＩＤタグ。
【請求項２４】
前記ダイポールアンテナが、前記無線周波スペクトルの極超短波（ＵＨＦ）帯域内で動作するように構成される、請求項１１に記載のＲＦＩＤタグ。
【請求項２５】
前記第１及び第２の導電性配線のうちの少なくとも１つが、選択した製造プロセスの最小の配線幅である、請求項１１に記載のＲＦＩＤタグ。
【発明の詳細な説明】
【技術分野】
【０００１】
本開示は、物品管理のための無線周波数識別（ＲＦＩＤ）システムに関し、より具体的には、ＲＦＩＤタグに関する。
【背景技術】
【０００２】
無線周波数識別（ＲＦＩＤ）技術は、輸送、製造、廃棄物管理、郵便物の追跡、航空機での手荷物照合及び有料道路の通行料金管理を含む、実質的に全ての産業において、幅広く使用されるようになった。ＲＦＩＤシステムは、多くの場合、図書館又は小売店等の保護領域からの物品の無許可の持ち去りを防止するために使用される。
【０００３】
ＲＦＩＤシステムは、多くの場合、保護される物品に取り付けられたＲＦＩＤタグを検出するための、保護領域の出口付近に配置される問い合わせゾーン又は通路を含む。それぞれのタグは、通常、それが取り付けられる物品を一意的に識別する情報を含む。物品は、本、製造アイテム、車両、動物若しくは個人、又は実質的にいかなる他の有形の物品であってもよい。また、特定の用途に必要とされる追加データが物品に提供され得る。
【０００４】
タグを検出するために、ＲＦリーダは、アンテナを通してＲＦ信号を出力し、問い合わせ通路内に電磁場を作り出す。電磁場は、通路内のタグを作動させる。順に、タグが特徴的な応答を生成する。具体的には、いったん作動されると、タグは、所定のプロトコルを使用して通信し、ＲＦＩＤリーダが通路内の１つ以上のタグから識別情報を受信できるようにする。通信が、物品の持ち去りが許可されていないことを示す場合、ＲＦＩＤシステムは、警報アラームを鳴らす、出口ゲートに鍵をかける等の、何らかの適したセキュリティ措置を始動する。
【発明の概要】
【課題を解決するための手段】
【０００５】
本開示は、タグが、通常は人目に付かず、かつ人の手又は体の他の部分によって問い合わせ信号から容易に遮断されないように設計される、ＲＦＩＤタグを記載する。具体的に、ＲＦＩＤタグは、幾何学中心線上又は近くの背で本を保持する人の手を越えて延在する一方、余所目には目立たない本の上又は中の位置にタグを設置することを可能にする、長くて細い外観を有するように設計される。本開示の技術に従い、ＵＨＦ  ＲＦＩＤタグは、約１０ｍｍ（約０．４インチ）未満の幅、及び約１００ｍｍ（約４インチ）を超える長さであり得る。より好ましくは、本開示に従って設計されるＵＨＦ  ＲＦＩＤタグは、約７ｍｍ（約０．３インチ）未満の幅、及び約１２５ｍｍ〜１４０ｍｍ（約５〜５．５インチ）、更により好ましくは約１３０ｍｍ〜１３５ｍｍの長さを有し得る。本方式では、本明細書に記載されるＵＨＦ  ＲＦＩＤタグの幅は、タグが余所目には目立たなくなる位置、例えば、本ののど又は背にタグを設置できるようにし、一方、ＵＨＦ  ＲＦＩＤタグの長さは、人の手によって部分的に覆われている場合にさえ、タグが問い合わせられるようにする。
【０００６】
一実施形態では、無線周波数識別（ＲＦＩＤ）タグのダイポールアンテナであって、第１の導電性配線から形成される直線ダイポールセグメントと、第２の導電性配線から形成され、直線ダイポールセグメントに電気的に接続されるループセグメントとを含む、ダイポールアンテナである。ダイポールアンテナの幅は、第１及び第２の導電性配線のうちの小さいほうの幅の４倍以下である。
【０００７】
別の実施形態では、無線周波数識別（ＲＦＩＤ）タグは、改良型ダイポールアンテナと、改良型ダイポールアンテナに電気的に接続される集積回路とを含む。改良型ダイポールアンテナは、第１の導電性配線から形成される直線ダイポールセグメントと、第２の導電性配線から形成され、直線セグメントに電気的に接続される、ループセグメントとを含む。改良型ダイポールアンテナの幅は、約６ミリメートル（ｍｍ）未満であり、改良型ダイポールアンテナの長さは、約１００ｍｍを超える。
【０００８】
１つ以上の実施形態の詳細を、添付の図面及び以下の説明で明らかにする。実施形態の他の特長、目的及び利点は、説明及び図面、並びに特許請求の範囲から明らかとなるであろう。
【図面の簡単な説明】
【０００９】
【図１】複数個の物品を管理するための無線周波数識別（ＲＦＩＤ）システムを図示する、ブロック図。
【図２Ａ】物品に取り付けられたＲＦＩＤタグを図示する、概略図。
【図２Ｂ】物品に取り付けられたＲＦＩＤタグを図示する、概略図。
【図３Ａ】物品に取り付けられたＲＦＩＤタグを図示する、概略図。
【図３Ｂ】物品に取り付けられたＲＦＩＤタグを図示する、概略図。
【図４】改良型ダイポールアンテナを有する一例示的なＲＦＩＤタグを図示する、概略図。
【図５】改良型ダイポールアンテナを有する別の例示的なＲＦＩＤタグを図示する、概略図。
【図６】改良型ダイポールアンテナを有する別の例示的なＲＦＩＤタグを図示する、概略図。
【図７Ａ】一例示の折返しダイポールセグメントを含む、改良型ダイポールアンテナを有する別の例示的なＲＦＩＤタグを図示する、概略図。
【図７Ｂ】別の例の折返しダイポールセグメントを含む改良型ダイポールアンテナを有する、別の例示的なＲＦＩＤタグを図示する、概略図。
【図８】改良型ダイポールアンテナを有する別の例示的なＲＦＩＤタグを図示する、概略図。
【図９】本開示の技術に従って設計されるＲＦＩＤタグの例示的なＲＦＩＤ信号強度を図示する、グラフ。
【図１０】本開示の技術に従って設計されるＲＦＩＤタグの別の例示的なＲＦＩＤ信号強度を図示する、別のグラフ。
【図１１】本開示の技術に従って設計されるＲＦＩＤタグの例示的なＲＦＩＤ信号強度を図示する、グラフ。
【図１２】本開示の技術に従って設計されるＲＦＩＤタグの別の例示的なＲＦＩＤ信号強度を図示する、別のグラフ。
【図１３】従来のダイポールアンテナを有するＲＦＩＤタグ、並びに本開示の技術に従って設計される改良型ダイポールアンテナを有する２つのＲＦＩＤタグの実験的に測定した信号強度の比較を図示する、グラフ。
【図１４Ａ】様々なアンテナ長さに応じる、例示的なインピーダンス変化の図示。
【図１４Ｂ】様々なアンテナ長さに応じる、例示的なインピーダンス変化の図示。
【図１５Ａ】様々なループセグメントの長さに応じる、例示的なインピーダンス変化のグラフ。
【図１５Ｂ】様々なループセグメントの長さに応じる、例示的なインピーダンス変化のグラフ。
【図１６Ａ】ループ幅に応じる、例示的なインピーダンス変化のグラフ。
【図１６Ｂ】ループ幅に応じる、例示的なインピーダンス変化のグラフ。
【図１７Ａ】改良型ダイポールアンテナの直線セグメントの幾何学中心線からのループのオフセットに応じる、例示的なインピーダンス変化のグラフ。
【図１７Ｂ】改良型ダイポールアンテナの直線セグメントの幾何学中心線からのループのオフセットに応じる、例示的なインピーダンス変化のグラフ。
【図１８】ループのオフセットに応じる、放射パターンの図示。
【図１９Ａ】従来のダイポールアンテナ及び本開示の技術に従って設計されるアンテナの全インピーダンスを図示する、スミスチャート。
【図１９Ｂ】従来のダイポールアンテナ及び本開示の技術に従って設計されるアンテナの全インピーダンスを図示する、スミスチャート。
【発明を実施するための形態】
【００１０】
ＲＦスペクトルの極超短波（ＵＨＦ）帯域内、例えば、３００ＭＨｚ〜３ＧＨｚの間で動作するように構成されるＲＦＩＤシステムは、読み取り範囲及び速度の増加、より低いタグ費用、より小さなタグ寸法等を含む、幾つかの利点を提供し得る。しかしながら、ＵＨＦ帯域の信号は、問い合わせ装置とＲＦＩＤタグとの間に位置する物体によって減衰される場合がある。具体的に、問い合わせ装置とＲＦＩＤタグとの間に位置する物体による減衰は、問い合わせに不十分な低下した信号強度をもたらし得る。例えば、人の手又は体の他の部分は、問い合わせ信号がＲＦＩＤタグに到達しないか又は不十分な強度でＲＦＩＤタグに到達するように、問い合わせ信号を遮断し得る。
【００１１】
従来のＵＨＦ  ＲＦＩＤタグ設計は、典型的に、２つのカテゴリのうちの１つに分類される。すなわち、２つのカテゴリとは、単純検査では不可能ではないにしても、見つけることが困難な小さな、人目に付かないタグ、及び容易に見つけることができる大きなタグである。従来の人目に付かないタグは、典型的に、長さが約１００ｍｍ（約４インチ）未満、及び幅が少なくとも約１３ｍｍ（約１／２インチ）である。かかる寸法は、従来のＵＨＦ  ＲＦＩＤタグを、例えば、人の手による遮断に特に影響を受けやすいものにする。本ののど（それぞれのページの１つの端部が、本の綴じに綴じられる、背の近くの部分）又は背に設置されるタグでは、本の背の上を覆う１つの手が、タグが問い合わせられないようにタグを遮断する場合がある。したがって、人は、問い合わせ信号が受信されるのを妨害するように、彼らの手でＲＦＩＤタグを気付かずに又は意図的に覆う場合があり、したがって保護領域から物品を無許可で持ち去ることを可能にする。一方、より大きな従来のＲＦＩＤタグは、問い合わせ信号から容易に遮断されない。しかしながら、より大きなＲＦＩＤタグは、見つけるのが容易である本の中又は上の位置に設置される。したがって、より大きな従来のＲＦＩＤタグは、それが取り付けられる物品から物理的に取り外されやすい。
【００１２】
本明細書に記載される技術に従って設計されるＲＦＩＤタグは、導電性ループセグメントに結合されるダイポールアンテナセグメントから形成される改良型ダイポールアンテナを含む。以下により詳細に記載されるように、改良型ダイポールアンテナの導電性ループセグメントは、従来のダイポールアンテナより大きな信号強度を有するアンテナを提供する。更に、また、導電性ループセグメントは、改良型ダイポールアンテナがＲＦＩＤタグの集積回路（ＩＣ）チップのインピーダンスと整合することを可能にする、改善されたインピーダンス整合能力も提供する。
【００１３】
本明細書に記載される技術に従って設計されるＲＦＩＤタグ及び改良型ダイポールアンテナは、人目に付かず、かつ人の手又は他の体の部分によって問い合わせ信号から容易に遮断されないタグを提供する。具体的に、ＲＦＩＤタグは、幾何学中心線上又はその近くの背で本を保持する人の手を越えて延在する一方、余所目には目立たない本の上又は中の位置にタグを設置することを可能にする、長くて細い外観を有する。本開示の技術に従って、ＵＨＦ  ＲＦＩＤタグは、約１０ｍｍ（約０．４インチ）未満の幅、及び約１００ｍｍ（約４インチ）を超える長さであり得る。より好ましくは、本開示に従って設計されるＵＨＦ  ＲＦＩＤタグは、約７ｍｍ（約０．３インチ）未満、更により好ましくは約４ｍｍ（約０．１５インチ）未満の幅を有し得る。ＵＨＦ  ＲＦＩＤタグの長さは、より好ましくは約１２５ｍｍ〜１４０ｍｍ（約５〜５．５インチ）、更により好ましくは約１３０ｍｍ〜１３５ｍｍである。本方式では、本明細書に記載されるＵＨＦ  ＲＦＩＤタグの幅は、タグが余所目には目立たなくなる位置、例えば、本ののど又は背にタグを設置できるようにし、一方、ＵＨＦ  ＲＦＩＤタグの長さは、人の手によって部分的に覆われる場合さえ、タグが問い合わせられるようにする。
【００１４】
図１は、複数個の物品を管理するための無線周波数識別（ＲＦＩＤ）システム２を図示する、ブロック図である。図１に図示される実施例では、ＲＦＩＤシステム２は、保護領域４内の複数個の物品を管理する。本明細書の趣旨に沿って、保護領域は、図書館であると仮定され、物品は、貸出手続きされる本又は他の物品であると仮定される。システムは、施設から物品を無許可で持ち去ることを防止するために、返却手続きされたＲＦＩＤタグを検出することに関して記載されるが、本開示の技術は、この点に限定されないことを理解されたい。例えば、また、ＲＦＩＤシステム２は、本開示の範囲を逸脱することなく、他の種類の状態又は形式の情報を判断するために使用することもできる。更に、本明細書に記載される技術は、ＲＦＩＤシステム２が使用される特定の用途に依存しない。ＲＦＩＤシステム２は、多数の他の種類の保護される環境内の物品を管理するために使用され得る。ＲＦＩＤシステム２は、例えば、企業、法律事務所、政府機関、病院、銀行、小売店、又は他の施設から物品を無許可で持ち去るのを防止するために、又はそれらの内部の物品を単に追跡するために使用され得る。
【００１５】
本６等の、保護領域４内の物品のそれぞれは、それぞれの物品に付着されたＲＦＩＤタグ（図１に図示されず）を含み得る。ＲＦＩＤタグは、感圧性接着剤、テープ、又はいずれかの他の好適な取り付け手段を用いて物品に取り付けられてもよい。ＲＦＩＤタグをそれぞれの物品上に設置することによって、ＲＦＩＤシステム２は、無線周波数（ＲＦ）信号を介して、物品の説明をそれぞれのＲＦＩＤタグと関連付けることができるようになる。例えば、ＲＦＩＤタグを物品上に設置することによって、ＲＦＩＤシステム２の１つ以上の問い合わせ装置は、物品に関連する説明又は他の情報を関連付けることができるようになる。図１の実施例では、ＲＦＩＤシステム２の問い合わせ装置は、手持ち式ＲＦＩＤリーダ８、デスクトップリーダ１０、棚リーダ１２及び出口制御システム１４を含む。手持ち式ＲＦＩＤリーダ８、デスクトップリーダ１０、棚リーダ１２及び出口制御システム１４（本明細書において、集合的に「問い合わせ装置」と称される）は、ＲＦ問い合わせ信号を生成し、アンテナを介してそれぞれのタグに送信することによって、物品に取り付けられたＲＦＩＤタグの１つ以上に問い合わせ得る。
【００１６】
ＲＦＩＤタグは、ＲＦＩＤタグ内に置かれる、ないしは別の方法で結合されるアンテナを介して、問い合わせ装置のうちの１つから問い合わせ信号を受信する。問い合わせ信号の場の強度が読み取り閾値を超える場合、ＲＦＩＤタグは、電圧が加えられ、ＲＦ応答信号放射することによって応答する。つまり、ＲＦＩＤタグのアンテナは、タグが、アンテナに結合されるＩＣチップに電力を供給するのに十分なエネルギーを吸収できるようにする。典型的に、問い合わせ信号に含まれる１つ以上の命令に応答して、ＩＣチップは、それぞれの問い合わせ装置によって検出される応答信号を出力するようにＲＦＩＤタグのアンテナを駆動する。応答信号は、ＲＦＩＤタグ及びその関連物品に関する情報を含み得る。本方式では、問い合わせ装置は、ＲＦＩＤタグに問い合わせをして、物品の説明、物品の状態、物品の位置等の物品に関連する情報を取得する。
【００１７】
デスクトップリーダ１０は、例えば、物品に問い合わせて循環情報を回収するために、コンピュータ装置１８に結合されてもよい。ユーザー（例えば、図書館員）は、物品、例えば本６を、顧客への本６の貸出手続きをするため、又は顧客からの本６の返却手続きをするために、デスクトップリーダ１０上又はその近くに置いてもよい。デスクトップリーダ１０は、本６のＲＦＩＤタグに問い合わせ、本６のＲＦＩＤタグからの応答信号によって受信される情報をコンピュータ装置１８に提供する。情報は、例えば、本６の識別（例えば、題名、著者、又は本のＩＤ番号）、本６が返却手続き又は貸出手続きされた日付、及び本が貸出手続きされた顧客の名前を含み得る。場合によっては、顧客は、顧客が貸出手続きする物品と同時に、その前に、又はそれに続いてスキャンされる、顧客に関連付けられたＲＦＩＤタグ（例えば、バッジ又はカード）を有してもよい。
【００１８】
別の実施例として、図書館員は、図書館内の遠隔位置、例えば、棚上の物品に問い合わせて物品に関連する位置情報を取得するために、手持ち式リーダ８を使用してもよい。具体的に、図書館員は、棚上にある本を決定するために、図書館を歩き回り、手持ち式リーダ８を用いて、棚上の本に問い合わせてもよい。また、棚は、特定の本がどの棚上にあるかを示すために問い合わせられ得る、ＲＦＩＤタグを含んでもよい。場合によっては、手持ち式リーダ８は、循環情報を回収するために使用され得る。換言すれば、図書館員は、顧客から本を返却手続きするため、及び顧客に本を貸出手続きするために、手持ち式リーダ８を使用してもよい。
【００１９】
また、棚リーダ１２は、棚上に位置する本に問い合わせ、位置情報を生成し得る。具体的に、棚リーダ１２は、棚上に位置する本を同定するために、棚リーダ１２の棚上の本に問い合わせる、棚の底又は棚の側面に沿ったアンテナを含み得る。棚リーダ１２上の本の問い合わせは、例えば、毎週、毎日又は毎時間実施され得る。
【００２０】
問い合わせ装置は、物品管理システム１６に問い合わせることによって回収される情報を通信するために、物品管理システム１６とインターフェースをとり得る。本方式では、物品管理システム１６は、施設内のそれぞれの物品の情報の集中型データベースとして機能する。問い合わせ装置は、有線インターフェース、無線インターフェースのうちの１つ以上を介して、又は１つ以上の有線又は無線ネットワーク上で、物品管理システム１６とインターフェースをとり得る。一実施例として、コンピュータ装置１８及び／又は棚リーダ１２は、有線若しくは無線ネットワーク（例えば、ローカルエリアネットワーク（ＬＡＮ））を介して、物品管理システム１６とインターフェースをとってもよい。別の実施例として、手持ち式リーダ８は、有線インターフェース、例えば、ＵＳＢケーブルを介して、又は赤外線（ＩＲ）インターフェース若しくはブルートゥース（Bluetooth）（登録商標）インターフェース等の無線インターフェースを介して、物品管理システム１６とインターフェースをとってもよい。
【００２１】
また、物品管理システム１４は、図書館員又は顧客等のユーザーに、物品に関するデータにアクセスする能力を提供するために、様々な位置で１つ以上のコンピュータ装置にネットワーク接続ないしは別の方法で結合されてもよい。例えば、ユーザーは、本等の特定の物品の位置及び状態を要求し得る。物品管理システム１４は、データベースから物品情報を取り出し、物品が位置した最後の位置、又は物品が貸出手続きされているかどうかに関する状態情報をユーザーに報告し得る。本方式では、ＲＦＩＤシステム２は、保護領域４内の物品のカタログ及び循環情報を回収するために使用され得る。
【００２２】
幾つかの実施形態では、出口制御システム１４等の問い合わせ装置は、情報を回収するためではなく、代わりに保護領域４からの物品の無許可の持ち去りを検出するために、ＲＦＩＤタグに問い合わせ得る。出口制御システム１４は、保護領域４の出口付近に位置する問い合わせゾーン又は通路を画定する、格子１９Ａ及び１９Ｂ（集合的に、「格子１９」）を含んでもよい。格子１９は、ＲＦＩＤタグが取り付けられた物品の持ち去りが許可されているかどうかを判断するために、ＲＦＩＤタグが通路を通過する際にそれらに問い合わせるための１つ以上のアンテナを含む。物品の持ち去りが許可されていない、例えば、本が適切に貸出手続きされていない場合、出口制御システム１４は、警報アラームを鳴らす、出口ゲートに鍵をかける等の適したセキュリティ措置を始動する。
【００２３】
ＲＦＩＤシステム２は、ＲＦスペクトルの極超短波（ＵＨＦ）帯域内、例えば、３００ＭＨｚ〜３ＧＨｚで動作するように構成されてもよい。一例示的な実施形態では、ＲＦＩＤシステム２は、約９０２ＭＨｚ〜９２８ＭＨｚのＵＨＦ帯域内で動作するように構成され得る。しかしながら、ＲＦＩＤシステム２は、約８６８ＭＨｚ（すなわち、欧州のＵＨＦ帯域）又は９５５ＭＨｚ（すなわち、日本のＵＨＦ帯域）等のＵＨＦ帯域の他の部分内で動作するように構成されてもよい。ＲＦスペクトルのＵＨＦ帯域内で動作することによって、読み取り範囲及び速度の増加、より低いタグ費用、より小さなタグ寸法等を含む、幾つかの利点が提供され得る。しかしながら、ＵＨＦ帯域の信号は、問い合わせ装置とＲＦＩＤタグとの間に位置する物体によって減衰される場合がある。特に、問い合わせ装置とＲＦＩＤタグとの間に位置する物体による減衰は、問い合わせるために十分ではない、低下した信号強度をもたらし得る。例えば、人の手又は他の体の部分は、問い合わせ信号がＲＦＩＤタグに到達しない、又はＲＦＩＤタグに不十分な強度で到達するように、問い合わせ信号を遮断し得る。
【００２４】
従来のＵＨＦ  ＲＦＩＤタグ設計は、典型的に２つのカテゴリのうちの１つに分類される。すなわち、２つのカテゴリとは、単純検査では不可能ではないにしても、見つけることが困難な小さな、人目に付かないタグ、及び容易に見つけることができる大きなタグである。従来の人目に付かないタグは、典型的に、長さが約１００ｍｍ（約４インチ）未満、及び幅が少なくとも約１３ｍｍ（約１／２インチ）である。かかる寸法は、従来のＵＨＦ  ＲＦＩＤタグを、例えば、人の手による遮断に特に影響を受けやすいものにする。本ののど（それぞれのページの１つの端部が、本の綴じに綴じられる、背の近くの部分）又は背に設置されるタグでは、本の背の上を覆う１つの手が、タグが問い合わせられないように、タグを遮断する場合がある。したがって、人は、問い合わせ信号が受信されるのを妨害するように、彼らの手でＲＦＩＤタグを気付かずに、又は意図的に覆う場合があり、したがって保護領域４から物品を無許可で持ち去ることを可能にする。一方、より大きな従来のＲＦＩＤタグは、問い合わせ信号から容易に遮断されない。しかしながら、より大きなＲＦＩＤタグは、見つけるのが容易な本の中又は上の位置に設置される。したがって、より大きな従来のＲＦＩＤタグは、それが取り付けられた物品から物理的に取り外されやすい。
【００２５】
本明細書に記載される技術に従って設計されるＲＦＩＤタグは、人目に付かず、かつ人の手又は他の体の部分によって問い合わせ信号から容易に遮断されないタグを提供する。具体的に、ＲＦＩＤタグは、幾何学中心線上又はその近くの背で本を保持する人の手を越えて延在する一方、余所目には目立たない本の上又は中の位置にタグを設置することを可能にする、長くて細い外観を有する。本開示の技術に従って、ＵＨＦ  ＲＦＩＤタグは、約１０ｍｍ（約０．４インチ）未満の幅、及び約１００ｍｍ（約４インチ）を超える長さであってもよい。より好ましくは、本開示に従って設計されるＵＨＦ  ＲＦＩＤタグは、約７ｍｍ（約０．３インチ）未満、更により好ましくは約４ｍｍ（約０．１５インチ）未満の幅を有し得る。ＵＨＦ  ＲＦＩＤタグの長さは、より好ましくは約１２５ｍｍ〜１４０ｍｍ（約５〜５．５インチ）、更により好ましくは約１３０ｍｍ〜１３５ｍｍである。本方式では、本明細書に記載されるＵＨＦ  ＲＦＩＤタグの幅は、タグが余所目には目立たなくなる位置、例えば、本ののど又は背にタグを配置できるようにし、一方、ＵＨＦ  ＲＦＩＤタグの長さは、人の手によって部分的に覆われた場合でさえ、タグが問い合わせられるようにする。
【００２６】
図２Ａ及び図２Ｂは、物品に取り付けられたＲＦＩＤタグ２０を図示する、概略図である。図２Ａ及び図２Ｂの実施例では、物品は本６である。本６は、カバー２２、背２４及び複数個のページ２６を含む。カバー２２は、ハードカバー又はソフトカバーであり得る。背２４は、典型的に、カバー２２と同種の材料で構成される。図２に図示される実施例では、ＲＦＩＤタグ２０は、本６内の背２４の内側部分上に設置される。ＲＦＩＤタグ２０は、感圧性接着剤、テープ、又はいずれかの他の好適な取り付け手段を用いて、背２４の内側部分に取り付けられてもよい。例えば、ＲＦＩＤタグ２０は、片側又は両側上に、背２４に取り付けられ得る接着層を含み得る。ＲＦＩＤタグ２０は、本の製造中、又は製造後、例えば購入後に、背２４の内側部分上に設置されてもよい。
【００２７】
ＲＦＩＤタグ２０は、タグを、人目に付かず、かつ人の手又は他の体の部分によって問い合わせ信号から容易に遮断されないようにする寸法を有する。ＲＦＩＤタグ２０は、ほとんどの本、更には比較的少ないページの本でさえ、背２４の内側部分に沿ってＲＦＩＤタグ２０を人目に付かないように配置させ得るようにする幅を有する。上述されるように、ＲＦＩＤタグ２０は、ｘ方向に１０ｍｍ未満（約０．４インチ未満）の幅、及びより好ましくは７ｍｍ未満の幅、並びに更により好ましくは約４ｍｍ未満の幅を有し得る。ＲＦＩＤタグ２０は、人の手が本６の背２４の上を覆って配置される場合でさえ、ＲＦＩＤタグ２０に問い合わせることができるようにする、ｙ方向の長さを有する。換言すれば、ＲＦＩＤタグ２０の長さは、ＲＦＩＤタグ２０のアンテナが、本６の幾何学中心線上又はその近くの背で本を保持する、平均サイズの人の手を越えて延在するように構成され、したがってＲＦＩＤタグ２０への問い合わせ信号が遮断されるのを防止する。本方式では、ＲＦＩＤタグ２０は、適切に貸出手続きされない場合に出口制御システム１４によって作動され得、したがって盗難抑止手段としての機能を果たす。上述されるように、ＲＦＩＤタグ２０は、１００ｍｍ（約４インチ）を超える、及びより好ましくは１２５ｍｍ〜１４０ｍｍ（約５〜５．５インチ）、並びに更により好ましくは１３０ｍｍ〜１３５ｍｍの長さを有し得る。
【００２８】
ＲＦＩＤタグ２０は、例えば本６のカタログ及び循環（貸出手続き及び返却手続き）情報、本６の位置情報、又は本６に関連する他の識別及び／若しくは状態情報を回収することを目的として、識別するための電子ラベルとして更に機能し得る。換言すれば、また、ＲＦＩＤタグ２０は、追加情報を回収するために、手持ち式リーダ８、デスクトップリーダ１０及び棚リーダ１２等の他の問い合わせリーダによっても問い合わせられ得る。図２Ａ及び図２ＢのＲＦＩＤタグ２０は、本６に取り付けられた状態で示されるが、ＲＦＩＤタグ２０は、雑誌、ファイル、ラップトップ、ＣＤ及びＤＶＤ等、図書館内に位置し得る他の物品に取り付けられてもよい。更に、ＲＦＩＤタグ２０は、企業、法律事務所、政府機関、病院、銀行、小売店、又は他の施設等の異なる施設からの他の物品の無許可の持ち去りを検出するために使用され得る。
【００２９】
図３Ａ及び図３Ｂは、物品に取り付けられたＲＦＩＤタグ２０を図示する、概略図である。図２Ａ及び図２Ｂと同様に、図３Ａ及び図３Ｂに図示される物品は、本６である。しかしながら、ＲＦＩＤタグ２０は、ＣＤ、ＤＶＤ、衣類、絵画、ファイル、ラップトップ等の多数の異なる物品に取り付けられ得る。図３Ａ及び図３Ｂの概略図は、図３Ａ及び図３ＢのＲＦＩＤタグ２０が、本６ののど３０内に位置することを除き、図２Ａ及び図２Ｂのものと実質的に同じである。のど３０は、本６の複数個のページ２６のそれぞれの１つの端部が、本６の綴じに綴じられる、本６の背２４付近の領域である。ＲＦＩＤタグ２０は、本６の背２４付近ののど３０に設置される。ＲＦＩＤタグ２０は、例えば、２つのページ間ののど３０の内側に設置され、のど３０の下部でページの一方又は両方に取り付けられてもよい。上述されるように、ＲＦＩＤタグ２０は、感圧性接着剤、テープ又はいずれかの他の好適な取り付け手段によって、のど３０内のページに取り付けられてもよい。例えば、ＲＦＩＤタグ２０は、片側又は両側上に、背２４に取り付けられ得る接着層を含み得る。上述されるように、ＲＦＩＤタグ２０は、ＲＦＩＤタグ２０を、（１）人目に付かず、かつ（２）人の手又は他の体の部分によって問い合わせ信号から容易に遮断されないようにする寸法を有する。
【００３０】
図４は、改良型ダイポールアンテナ４２を有する一例示的なＵＨＦ  ＲＦＩＤタグ４０を図示する、概略図である。改良型ダイポールアンテナ４２は、基板４５上のＩＣチップ４４に接続されている。改良型ダイポールアンテナ４２は、給電点４６Ａ及び４６Ｂ（集合的に、「給電点４６」）を介して、ＩＣチップ４４に電気的に接続されてもよい。一実施形態では、改良型ダイポールアンテナ４２は、基板４５の第１の側上に配置されてもよく、ＩＣチップ４４は、基板４５の第２の側上に配置されてもよい。この場合、給電点４６は、１つ以上のビアを又は基板４５を通って延在するクロスオーバーを使用して、改良型ダイポールアンテナ４２をＩＣチップ４４に電気的に接続し得る。別の実施形態では、改良型ダイポールアンテナ４２の第１の部分は、基板４５の第１の側上に配置されてもよく、改良型ダイポールアンテナ４２の第２の部分は、ＩＣチップ４４と共に基板４５の第２の側上に配置されてもよい。あるいは、改良型ダイポールアンテナ４２及びＩＣチップ４４は、基板４５の同一の側上に側上にされてもよい。
【００３１】
ＩＣチップ４４は、ＲＦＩＤタグ４０内に埋め込まれてもよく、又は表面実装デバイス（ＳＭＤ）として実装されてもよい。ＩＣチップ４４は、ＲＦＩＤタグ４０内に固有識別及び他の望ましい情報を記憶するため、問い合わせハードウェアから受信される命令を解釈及び処理するため、問い合わせ装置による情報の要求に応答するため、並びに問い合わせに同時に応答する複数のタグから生じる衝突を解決するために、ファームウェア及び／又は回路を含んでもよい。所望により、ＩＣチップ４４は、単なる情報の読み取り（読み取り専用）とは対照的に、内部メモリに記憶された情報を更新するための命令（例えば、読み取り／書き込み命令）に応答してもよい。ＲＦＩＤタグ４０のＩＣチップ４４に使用するのに好適な集積回路には、数ある中でも特に、テキサス州ダラス（Dallas）にあるテキサスインストルメンツ（Texas Instruments）、オランダ国アイントホーフェン（Eindhoven）にあるフィリップスセミコンダクターズ（Philips Semiconductors）、及びスイス国ジュネーブ（Geneva）にあるＳＴマイクロエレクトロニクス（ST Microelectronics）から入手可能なものが挙げられる。
【００３２】
改良型ダイポールアンテナ４２は、基板４５上に置かれた導電性ループセグメント５０に結合される、直線アンテナセグメント４８を含む。換言すれば、改良型ダイポールアンテナは、ループセグメント５０が追加された直線ダイポールアンテナと見なされ得る。直線セグメント４８及びループセグメント５０は、基板４５上に置かれた導電性配線であってもよい。例えば、直線アンテナセグメント４８は、第１の導電性配線から形成されてもよく、ループセグメント５０は、第２の導電性配線で形成され、直線アンテナセグメント４８を形成する第１の導電性配線に接続されてもよい。直線セグメント４８及びループセグメント５０は、化学蒸着、スパッタリング、エッチング、フォトリソグラフィ、マスキング等を含む様々な製作技術のいずれかを使用して、基板４５上に置かれてもよい。
【００３３】
図４に図示されるループセグメント５０は、長方形の形状に形成される。しかしながら、ループセグメント５０は、異なる形状を呈してもよい。例えば、ループセグメント５０は、半円、半楕円、三角形、台形、又は他の対称若しくは非対称の形状に形成されてもよい。更に、図４のループセグメント５０は、１つの連続する導電性配線として図示されるが、ループセグメント５０は、ループを形成する導電性配線中に不連続すなわち「切断」を有して形成されてもよい。不連続を有するループセグメントの導電性配線は、依然として、不連続のセグメント間の容量性結合により、連続する配線ループセグメントと同様に機能し得る。同じことが、直線セグメント４８にも当てはまり得る。換言すれば、直線セグメント４８は、直線セグメント４８を形成する導電性配線中に１つ以上の不連続を含んでもよい。
【００３４】
図４に図示される実施例では、ループセグメント５０は、直線セグメント４８に対して対称に配置される。換言すれば、直線セグメント４８は、ループセグメント５０をｙ方向に越え等距離で延在する。しかしながら、他の実施形態では、ループセグメント５０は、直線セグメント４８に対して非対称に配置されてもよい。図４に図示される実施例では、ＩＣチップ４４は、ループセグメント５０内で改良型ダイポールアンテナ４２に電気的に接続する。以下に記載されるように、しかしながら、ＩＣチップ４４は、直線セグメント４８内で改良型ダイポールアンテナ４２に電気的に接続してもよい。
【００３５】
改良型ダイポールアンテナ４２は、ＲＦＩＤタグ４０が物品上又は内に設置される際に、ＲＦＩＤタグ４０を容易に隠す（すなわち、人目に付かないようにする）ことができ、それにも関わらず人の手又は体の他の部分によって問い合わせ信号から容易に遮断されることがないように設計される。これらの特長を達成するために、改良型ダイポールアンテナ４２は、長さＬアンテナ及び幅Ｗアンテナによって示される、長くて細い外観を有するように設計される。改良型ダイポールアンテナ４２の幅Ｗアンテナは、ＲＦＩＤタグ４０が人目に付かなくなるように設計され、一方、改良型ダイポールアンテナ４２の長さＬアンテナは、人の手又は体の他の部分によって覆われる場合にさえ、問い合わせ信号を受信するように設計される。一実施形態では、幅Ｗアンテナは、約６ｍｍ（約０．２５インチ）未満、及びより好ましくは約４ｍｍ（約０．１５インチ）であってもよい。別の実施形態では、改良型ダイポールアンテナ４２の幅Ｗアンテナは、改良型ダイポールアンテナ４２を形成する導電性配線の小さいほうの幅の約４倍以下である。図４に図示される例示の実施形態では、直線アンテナセグメント４８及び導電性ループセグメント５０を形成する導電性配線の幅は、１Ｘと等しくてもよく、ループセグメント５０を形成する導電性配線の内側端部と直線セグメント４８を形成する導電性配線の内側端部との間の間隔は、約１Ｘと等しくてもよく、式中、Ｘは、導電性配線幅と等しい。したがって、改良型ダイポールアンテナ４２は、導電性配線の幅の約３倍である幅を有し得る。一実施形態では、改良型ダイポールアンテナ４２を形成する導電性配線は、選択される製造プロセスの最小の配線幅、例えば、約１ｍｍを有してもよい。改良型ダイポールアンテナ４２のかかる細い幅は、物品上又は内でＲＦＩＤタグ４０が隠れる、すなわち、人目に付かなくなるようにする。例えば、ＲＦＩＤタグ４０は、見る人からＲＦＩＤタグ４０を隠すために、本ののど内に又は本の背の内側部分上に設置されてもよい。
【００３６】
上述されるように、改良型ダイポールアンテナ４２の長さＬアンテナは、人の手又は体の他の部分によって覆われる際にさえ、問い合わせ信号を受信するように設計される。長さＬアンテナは、約１００ｍｍ（約４インチ）を超える、及びより好ましくは約１２５ｍｍ〜１４０ｍｍ（約５〜５．５インチ）、並びに更により好ましくは約１３０ｍｍ〜１３５ｍｍ（５インチ強）であってもよい。これらの長さで、ＲＦＩＤタグ４０が本ののど内又は本の背の内側部分上に設置される場合、改良型ダイポールアンテナ４２は、幾何学中心線５２上又はその近くの背で本を保持する人の手を越えて延在する。更に、長さＬアンテナは、改良型ダイポールアンテナ４２が、ダイポール応答を自由空間又は周囲の誘電体と整合されるように、上述される範囲内で更に調整されてもよい。例えば、長さＬアンテナは、例えば、ＲＦＩＤタグ４０が取り付けられる本の紙及び綴じ材料のダイポール応答を整合するように調整されてもよい。
【００３７】
また、ループセグメント５０の多数の態様は、改良型ダイポールアンテナ４２の動作を改善するために、修正されてもよい。例えば、長さＬループは、改良型ダイポールアンテナ４２の様々な態様に対する感度に影響を与えるように調整されてもよい。より長い長さＬループは、改良型ダイポールアンテナの信号干渉に対する感度、誘電体材料（例えば、ページ及び他の綴じ材料）の存在によってもたらされる損失、及びダイポール長さの変化を増加し得る。あるいは、又は更に、ループセグメント５０の形状も、改良型ダイポールアンテナ４２の感度に影響を与えるように調整されてもよい。更に、また、不連続のループセグメント５０又は直線セグメント４８の形成も、改良型ダイポールアンテナ４２の感度に影響を与え得る。
【００３８】
別の実施例として、直線ダイポールセグメント４８に対するループセグメント５０の配置は、改良型ダイポールアンテナ４２の様々な態様の変化に対する感度に影響を与えるように調整されてもよい。図４に図示される実施例では、ループセグメント５０は、直線セグメント４８に対して対称に配置される。換言すれば、直線セグメント４８は、ループセグメント５０をｙ方向の正及び負の両方に越え等距離で延在する。しかしながら、他の実施形態では、ループセグメント５０は、直線セグメント４８に対して非対称に配置されてもよい。直線セグメント４８に対して非対称に配置されるようにループセグメント５０をオフセットすることによって、改良型ダイポールアンテナ４２は、周囲媒質（すなわち、本の場合、ページ及び他の綴じ材料）の誘電率の厳密な値に対してそれ程敏感ではなくなる。更に、改良型ダイポールアンテナ４２は、ダイポール長さの調整に対してそれ程敏感ではない。
【００３９】
電力伝達の増加を達成するために、改良型ダイポールアンテナ４２のインピーダンスは、ＩＣチップ４４のインピーダンスと共役整合されてもよい。一般に、シリコンＩＣチップは、低抵抗及び負のリアクタンスを有する。したがって、共役整合を達成するために、改良型ダイポールアンテナ４２は、等価抵抗及び等しくかつ逆の正のリアクタンスを有するように設計され得る。以下により詳細に記載されるように、ループセグメント５０を含む改良型ダイポールアンテナ４２の設計は、インピーダンス整合能力が向上した改良型ダイポールアンテナ４２を提供し得る。ループセグメント５０は、改良型ダイポールアンテナ４２に、アンテナ４２のインピーダンスをＩＣチップ４４のインピーダンスに整合されるように調整され得る、多数の寸法を提供する。具体的には、様々なセグメントを形成するために使用される、寸法Ｌアンテナ及び導電性配線の幅（又は直線セグメントの導電性配線幅とループセグメントの導電性配線幅との間の比率）に加えて、寸法Ｗアンテナ及びＬループは、アンテナ４２のインピーダンスをＩＣチップ４４のインピーダンスに整合されるように調整されてもよい。アンテナ４２のインピーダンスをＩＣチップ４４のインピーダンスに整合されることは、アンテナ４２の「チューニング」と称される場合がある。幾つかの実施形態では、改良型ダイポールアンテナ４２は、１つ以上のチューニングスタブ（図示せず）、チューニングコンデンサ（図示せず）、又はアンテナ４２をチューニングするために使用され得る他の別個のチューニング素子を有し得る。
【００４０】
ＲＦＩＤタグ４０自体は、改良型ダイポールアンテナ４２の寸法に従う、長くて細い外観を有するように設計される。したがって、ＲＦＩＤタグ４０の幅Ｗタグは、物品を人目に付かなくするように設計され、一方、ＲＦＩＤタグ４０の長さＬタグは、改良型ダイポールアンテナ４２が、人の手又は体の他の部分によって覆われる場合でさえ、問い合わせ信号を受信し得るように設計される。幅Ｗタグは、約１０ｍｍ（約０．４インチ）未満、及びより好ましくは約７ｍｍ（約０．３インチ）未満であってもよい。場合によっては、ＲＦＩＤタグ４０は、改良型ダイポールアンテナ４２の幅に削られてもよい。換言すれば、ＲＦＩＤタグ４０の幅（Ｗタグ）は、アンテナ４２の幅（Ｗアンテナ）とほぼ等しくてもよい。長さＬタグは、改良型ダイポールアンテナ４２の長さに基づいて決定され得る。長さＬタグは、改良型ダイポールアンテナ４２の長さ、すなわち、Ｌアンテナより、例えば、２〜５ｍｍ長くてもよい。幾つかの実施形態では、Ｌタグは、Ｌアンテナとほぼ等しくてもよい。本方式では、ＲＦＩＤタグ４０の幅は、ＲＦＩＤタグ４０が余所目には目立たなくなる位置、例えば、本ののど（それぞれのページの１つの端部が、本の綴じに綴じられる、背の近くの部分）又は背にＲＦＩＤタグ４０を設置できるようにし、一方、ＲＦＩＤタグ４０の長さは、改良型ダイポールアンテナが、人の手によって部分的に覆われる場合でさえ、問い合わせ信号を受信できるようにする。
【００４１】
ＲＦＩＤタグ４０に関して上述される寸法は、ＲＦＩＤタグ４０の約９００ＭＨｚ〜９３０ＭＨｚのＵＨＦ帯域内での動作のために最適化される。ＲＦＩＤタグ４０が、約８６８ＭＨｚ（欧州のＵＨＦ帯域）又は９５５ＭＨｚ（日本のＵＨＦ帯域）等のＵＨＦ帯域の別の帯域内での動作に最適化され得るように、これらの寸法の小さな修正が行われてもよい。例えば、改良型ダイポールアンテナ４２の長さＬアンテナは、動作周波数に反比例して修正されてもよい。欧州の８６８ＭＨｚのより低い中心周波数での動作では、ダイポールアンテナ長さＬアンテナは、９１５／８６８倍に増加し得る。日本の９５５ＭＨｚのより高い中心周波数での動作では、アンテナ長さＬアンテナは、９１５／９５５に減少され得る。
【００４２】
ＲＦＩＤタグ４０の高さ又は厚さは、ＲＦＩＤタグ４０が取り付けられる物品の表面から大幅に飛び出さないように選択され得る。ＲＦＩＤタグ４０が物品の表面から大幅に飛び出す場合、ＲＦＩＤタグ４０は、気付かれる場合があり、かつ損傷しやすく又は取り外されやすくなり得る。一実施例として、ＲＦＩＤタグ４０の高さは、約０．０６ｍｍ〜０．５９ｍｍの範囲内であってもよい。一実施形態では、ＲＦＩＤタグ４０は、約０．２７５ｍｍの厚さを有してもよい。他の高さが可能であることを理解されたい。
【００４３】
上述されるように、ＲＦＩＤタグ４０は、タグの物品（例えば、本）への取り付けに、１つ以上の接着層又は他の好適な取り付け手段を含み得る。一実施形態では、例えば、ＲＦＩＤタグ４０は、ＲＦＩＤタグ４０の上面又は下面のいずれかの上に接着層を含んでもよい。事実、場合によっては、ＲＦＩＤタグ４０は、タグ４０の上面及び下面の両方の上に接着層を含み得る。しかしながら、接着層は、要求されない。これらの場合、ＲＦＩＤタグ４０は、接着層なく物品上又は内に設置され得る。例えば、ＲＦＩＤタグ４０は、本ののど内に設置され、のどのページとＲＦＩＤタグとの間の摩擦によってのどに保持されてもよい。
【００４４】
図５は、改良型ダイポールアンテナ６２を有する別の例示的なＲＦＩＤタグ６０を図示する、概略図である。改良型ダイポールアンテナ６２は、改良型ダイポールアンテナ６２のループセグメント５０が、幾何学中心線５２に対して対称に配置される代わりに、改良型ダイポールアンテナ６２の幾何学中心線５２に対して非対称に配置されることを除き、図４の改良型ダイポールアンテナ４２と実質的に同じである。具体的に、改良型ダイポールアンテナ６２の直線ダイポールセグメント４８は、ループセグメント５０をｙ方向に越え等距離で延在しない。代わりに、改良型ダイポールアンテナ６２の直線ダイポールセグメント４８は、ｙ軸に沿って一方の方向にもう一方より遠くに延在する。上述されるように、ループセグメント５０を直線セグメント４８に対して非対称に配置されるようにオフセットすることによって、改良型ダイポールアンテナ６２は、様々なパラメータに対して改良型ダイポールアンテナ４２よりも感度が低下する。例えば、改良型ダイポールアンテナ６２は、周囲媒質の誘電率（すなわち、本の場合、ページ及び他の綴じ材料）の変化に対してそれ程敏感ではない場合がある。別の実施例として、改良型ダイポールアンテナ６２は、様々なダイポール長さに対してそれ程敏感ではない場合がある。
【００４５】
図６は、改良型ダイポールアンテナ７２を有する別の例示的なＲＦＩＤタグ７０を図示する、概略図である。ＲＦＩＤタグ７０は、改良型ダイポールアンテナ７２が、図４の改良型直線ダイポールアンテナの代わりに改良型折返しダイポールアンテナであることを除き、図４のＲＦＩＤタグ４０と実質的に同じである。換言すれば、改良型ダイポールアンテナ７２は、直線セグメント４８のそれぞれの末端部に配置される、折返しセグメント７４Ａ及び７４Ｂ（集合的に、「折返しセグメント７４」）を含む。折返しセグメント７４Ａ及び７４Ｂは、それぞれ、ループセグメント５０の方向に曲がる曲線部分と、直線セグメント４８と平行にループセグメント５０に向かって走る直線部分とを含む。折返しセグメント７４は、半円又は半楕円の折返しセグメントとして図６に図示されるが、折返しセグメントは、異なる形状をとってもよい。例えば、折返しセグメント７４は、半長方形、三角形の一部等の形状に形成されてもよい。いかなる場合にも、折返しセグメント７４の直線部分は、直線セグメント４８に対して実質的に平行に走る。更に、また、折返しの寸法は、増加又は減少されてもよい。
【００４６】
改良型折返しダイポールアンテナ７２は、読み取り能力の拡張、ひいてはより優れたタグ性能を可能にし得る。これは、ＲＦＩＤタグ７０が、１つ以上の他のタグを含む物品上又は内に配置される際に、特に当てはまる。換言すれば、改良型折返しダイポールアンテナ７２は、複数のタグが付けられたアイテム上に設置される場合の性能の向上を提供する。また、折返しセグメント７４は、タグ７０の有効長さを増加し、タグパラメータをより柔軟にチューニングできるようにする。更に、折返しセグメント７４は、ＲＦＩＤタグ７０を軸外信号に対してより応答するようにさせ得る。更に、折返しセグメントは、異なる誘電率を有する本（又は他の物品）に配置される場合、より一定の入力インピーダンスをＲＦＩＤタグ７０に与え得る。
【００４７】
図６に図示される実施例では、直線アンテナセグメント４８及び導電性ループセグメント５０を形成する導電性配線の幅は、１Ｘと等しくてもよく、直線セグメント４８と平行である、ループセグメント５０を形成する導電性配線の内側端部と、直線セグメント４８を形成する導電性配線の内側端部との間の間隔は、約２Ｘと等しくてもよく、ここで、Ｘは導電性配線幅である。したがって、図６の改良型ダイポールアンテナ７２は、導電性配線の幅の約４倍である幅を有し得る。一実施形態では、改良型ダイポールアンテナ７２を形成する導電性配線は、選択される製造プロセスの最小の配線幅、例えば、約１ｍｍを有してもよい。したがって、改良型ダイポールアンテナ７２は、図４に関して上述されるものと実質的に類似する寸法を有する。
【００４８】
図７Ａは、改良型ダイポールアンテナ８２を有する別の例示的なＲＦＩＤタグ８０を図示する、概略図である。改良型ダイポールアンテナ８２は、改良型ダイポールアンテナ８２の折返しのうちの少なくとも１つが、ループセグメント５０の位置と反対の方向に折返すことを除き、図６の改良型ダイポールアンテナ７２と実質的に同じである。図７Ａの実施例に図示される実施形態では、改良型ダイポールアンテナ８２の折返しのうちの１つのみが、ループセグメント５０の位置と反対の方向に折返す。しかしながら、他の実施形態では、折返しの両方が、ループセグメント５０の位置と反対の方向に折返してもよい。しかしながら、いずれの場合でも、アンテナの幅は上述される寸法の若干大きい側であり得る。例えば、改良型ダイポールアンテナの幅は、８〜１０ｍｍの範囲により近くてもよい。
【００４９】
図７Ｂは、改良型ダイポールアンテナ８６を有する別の例示的なＲＦＩＤタグ８４を図示する、概略図である。図７Ａのアンテナ８２と同様に、図７Ｂのアンテナ８４は、ループセグメント５０の位置と反対の方向に折返す、少なくとも１つの折返しセグメント（すなわち、図７Ｂの７４Ａ）を含む。しかしながら、図７Ｂのアンテナ８６は、アンテナ８６の幅が、図４〜６に図示されるアンテナの幅と実質的に類似するように形成される。換言すれば、折返しセグメント７４Ａは、アンテナ８６の幅をより大きくしない。具体的に、蛇行セグメント８３は、直線セグメント４８から折返しセグメント７４Ａの開始箇所まで傾斜し、この開始箇所は、直線セグメント４８に対して平行であるループセグメント５０の導電性配線のセグメントとｘ方向においてほぼ同一の距離に配置される。アンテナの幅を減少させるために、直線ダイポールセグメントの他の類似の修正が行われてもよい。
【００５０】
図８は、改良型ダイポールアンテナ９２を有する別の例示的なＲＦＩＤタグ９０を図示する、概略図である。改良型ダイポールアンテナ９２は、ＩＣチップ４４が、ループセグメント５０内の代わりに、改良型ダイポールアンテナ９２の直線ダイポールセグメント４８内で改良型ダイポールアンテナ４２に電気的に接続されることを除き、図４の改良型ダイポールアンテナ４２と実質的に同じである。
【００５１】
図９〜図１２は、本開示の技術に従って設計されるＲＦＩＤタグの例示的なＲＦＩＤ信号強度を図示する、グラフである。図９〜図１２に図示されるように、改良型ダイポールアンテナの信号強度は、広範囲にわたり「最大」となり、強力である。改良型ダイポールアンテナの広範囲な最大信号強度は、ほぼいかなる保護領域の物品にも内在するばらつきの幅広い範囲にわたり、良好な性能の利点を提供する。例えば、図書館という状況においては、蔵書には、様々な本の特性、例えば寸法（例えば、厚い又は薄い）、紙の種類（例えば、光沢のある粘土充填紙又は低密度紙）、異なる種類のインク、異なるインクの量（例えば、特に本のカバー／ジャケット上）、ページを背に取り付けるために使用される異なる接着剤等、又は他の干渉、例えば本上に２つ以上のタグを有する複数のタグ環境等に起因して、大幅に異なる誘電率を有する本を含む。改良型ダイポールアンテナの広範囲な最大信号強度は、いかなる種類の本でも満足のいく性能で動作する、単一ＲＦＩＤタグ設計を可能にする。
【００５２】
図９は、本開示の技術に従って設計されるＲＦＩＤタグの例示的なＲＦＩＤ信号強度を図示する、グラフである。図４に図示される種類の改良型ダイポールアンテナを含む、ＲＦＩＤタグの例示的なＲＦＩＤ応答結果を図９に図示する。本試験では、ＲＦＩＤアンテナのループセグメント５０の長さ、例えば、Ｌループは、２５ｍｍであった。ループセグメント５０は、初期は直線ダイポールセグメント４８に対して対称に配置された。直線ダイポールセグメント４８は、初期は長さが１６５ｍｍであった。改良型ダイポールアンテナから５ｍｍのセグメントを漸増式に切断し、試験測定結果を取得した。例えば、直線ダイポールセグメントがわずかに非対称となるように、第１の５ｍｍの増分が、直線ダイポールセグメントの第１の末端部から切断された。試験測定結果が得られた。次いで第２の５ｍｍのセグメントが直線ダイポールセグメント４８の反対の末端部から除去され、したがって再びタグが対称となり、別の測定結果が得られた。直線ダイポールセグメント４８の全長が１００ｍｍとなるまで、５ｍｍのセグメントが、反対の末端部から漸増式に除去された。本方式では、ＲＦＩＤ応答は、長さが１００ｍｍ〜１６５ｍｍの直線ダイポールセグメントで測定された。ＲＦＩＤ応答のダイポール長さへの依存度を実証するために、ＲＦＩＤタグの自由空間でのＲＦＩＤ応答（線１０２によって示される）、及び本ののどに挿入された状態でのＲＦＩＤ応答（線１００によって示される）を試験した。
【００５３】
図９のグラフに図示されるように、ＲＦＩＤタグの改良型ダイポールアンテナは、ダイポール長さが１６０ｍｍで自由空間のピーク応答を示し、１４０ｍｍを超えるダイポール長さで、本内に設置される際のピーク応答を示す。ダイポールアンテナの長さは、改良型ダイポールが、誘電体材料（紙）の存在によってもたらされる信号干渉及び損失を補償することができるように、選択されてもよい。
【００５４】
図１０は、本開示の技術に従って設計される、別の例示的なＲＦＩＤタグのＲＦＩＤ信号強度を図示する、別のグラフである。本試験では、図１０に図示される結果を生成するために使用されたＲＦＩＤタグは、図９の結果と同一の設計のものであった。上述されるように、初期のタグ構成は、１６５ｍｍの直線ダイポールセグメント、及び初期に直線ダイポールセグメント４８に対して対称に配置される２５ｍｍのループセグメントを含んだ。したがって、１６５ｍｍのタグの初期の読み取りは、オフセットを含まない。しかしながら、図９に関して上述されるものとは異なり、５ｍｍのセグメントは、直線ダイポールセグメント４８の単一側からのみ除去され、したがって、直線ダイポールセグメント４８の中心線に対するループセグメント５０のオフセット量は、増加した。この場合も同様に、各５ｍｍの増分で、１６５ｍｍ〜１００ｍｍの長さにおいて試験測定値が得られた。
【００５５】
本内の改良型ダイポールアンテナの応答は、１４０ｍｍ〜１２０ｍｍで広範囲な最大値を示す。広範囲のダイポールアンテナ長さにわたる非対称の改良型ダイポールの応答の強度は、ループが非対称に設置される場合に、周囲媒質の誘電率の厳密な値に対して、改良型ダイポールの感度が比較的低くなることを示す。更に、アンテナは、直線ダイポールセグメント４８の長さの調整に対してそれ程敏感ではない。
【００５６】
図１１は、本開示の技術に従って設計される、更に別の例示的なＲＦＩＤタグの例示的なＲＦＩＤ応答信号強度を図示する、グラフである。本試験では、図１１に図示される結果を生成するために使用されたＲＦＩＤタグは、図９の結果と同一の設計のものであったが、対称に配置されるループセグメント５０の長さ、例えば、Ｌループは、２５ｍｍの代わりに３７ｍｍであった。しかしながら、ＲＦＩＤタグは、図９に関して上述される方式で、５ｍｍづつ漸増式に短縮された。３７ｍｍのループを有する対称の改良型ダイポールアンテナの応答は、改良型ダイポールアンテナのループセグメント５０の長さが、誘電体材料（紙）の存在によってもたらされる信号干渉及び損失に影響を与えることを示した。
【００５７】
図１２は、本開示の技術に従って設計される、別の例示的なＲＦＩＤタグの別の例示的なＲＦＩＤ信号強度を図示する、グラフである。図１２に図示される結果を生成するために使用されたＲＦＩＤタグは、図１１の結果と同一の設計のものであったが、直線ダイポールセグメント４８の中心線に対する非対称のオフセットの増加の影響を試験するために、改良型ダイポールアンテナのループセグメント５０は、図１０に関して前述される方式で漸増式に短縮された。ループセグメントの長さは、３７ｍｍのままであった。本内の改良型ダイポールアンテナの応答（すなわち、線１１４）は、１４０ｍｍ〜１２０ｍｍのダイポール長さで広範囲な最大値を示す。広範囲のダイポールアンテナ長さにわたる非対称な改良型ダイポールの応答の強度は、ループが非対称に設置される場合、周囲媒質の誘電率の厳密な値に対して、改良型ダイポールの感度が比較的低くなることを示す。更に、アンテナは、直線ダイポールセグメント４８の長さの調整に対してそれ程敏感ではない。
【００５８】
図１３は、従来のダイポールを有するＲＦＩＤタグ、並びに本開示の技術に従って設計される改良型ダイポールアンテナを有する２つのＲＦＩＤタグの実験的に測定した信号強度の比較を図示する、グラフである。２つの種類のＲＦＩＤタグ設計は、図８に図示されるＲＦＩＤタグと形態が類似し、改良型ダイポールアンテナのループセグメント５０の長さ（Ｌループ）が異なる。本実施例の第１の設計は、長さＬループが２５ｍｍのループセグメント５０を有する。本実施例の第２の設計は、長さＬループが３７ｍｍのループセグメント５０を有する。両方の設計は、同一の長さ（Ｌアンテナ）のダイポールセグメント４８を有し、Ｌアンテナは、１３０ｍｍと等しい。他の点では、２つの種類のＲＦＩＤタグは、アンテナ及びループセグメントの線幅並びに配線厚さ、基板種類及び厚さ、並びに直線ダイポールセグメント４８の中央に取り付けられるＩＣチップを含み、上記の実施例と類似する寸法を有する。本実施例で試験された従来のダイポールアンテナは、全長Ｌアンテナが１３０ｍｍの２つの等価伝導体セグメントを備え、中央に取り付けられたＩＣ４４を含む、単純な直線ダイポールアンテナである。全ての他の態様においては、ダイポールアンテナは、ループセグメント５０のない、本開示の改良型ダイポールアンテナと等しい。
【００５９】
タグのそれぞれが３つの異なる本内に設置された状態で、ＲＦＩＤタグのそれぞれの信号強度が測定された。本実施例の３つの本は、一般的に入手可能な図書館の本に見られ得る誘電特性の範囲を示す。以下の表１は、それぞれの本のカバー及びページの誘電率の実部（εＲ）、及び損失タンジェント（ｔａｎδ）を要約する。表１は、それぞれの本の中点での総ページ厚さを示す縦列を含む。中点での総ページ厚さは、タグ上の本の効果を試験するために、本の表紙からそれぞれのＲＦＩＤタグが挿入された中点ページまでのページを含むように測定される。
【００６０】
【表１】
2011501513.tif 000003
【００６１】
ＲＦＩＤタグのそれぞれの応答信号は、ＲＦＩＤタグのそれぞれを、順に、それぞれの本に配置することによって測定された。１つのタグのみが試験下の本に挿入され、試験後、タグは取り外された。それぞれの本に設置されたそれぞれのタグに関して、本内のＲＦＩＤタグの応答信号が測定された。３つのＲＦＩＤアンテナ設計のそれぞれの誘電率に応じる信号強度として、結果として生じる曲線が図１３にプロットされる。タグの応答の近似値として、データ点を接続する線が追加される。
【００６２】
本開示に従って設計されたＲＦＩＤタグは、従来のダイポールアンテナと比較して、比較的高い値の応答信号を示す。図１３では、曲線１１０は、ループセグメントが２５ｍｍの改良型アンテナを有するＲＦＩＤタグの信号強度を示し、曲線１１２は、ループが３７ｍｍの改良型ダイポールアンテナを有するＲＦＩＤタグの信号強度を示し、曲線１１４は、従来のダイポールアンテナを有するＲＦＩＤタグの信号強度を示す。
【００６３】
図１３のグラフに図示されるように、ループが２５ｍｍのＲＦＩＤタグの信号強度の曲線１１０は、実施例の３つの本の幾つかの誘電率の値にわたって実質的に一定である。ループが２５ｍｍのＲＦＩＤタグの比較的一定の信号強度は、信号強度が、本実施例の本によって示される範囲内の誘電率を有するいかなる本でもほぼ同一であり得るため、システム応答全体を向上させ、システム設計を簡略化し得る。
【００６４】
ループセグメントが３７ｍｍのＲＦＩＤタグの信号強度の曲線１１２は、誘電率の最高値で、ループが２５ｍｍの応答信号と比較して減少を示す。しかしながら、信号強度は、従来のダイポールセグメントと比較して、誘電率のより低い値にわたって比較的一定である。
【００６５】
従来のダイポールアンテナを有するＲＦＩＤタグ（すなわち、ループセグメントがない）の信号強度の曲線１１４は、本開示に従って設計されたＲＦＩＤタグのいずれの信号強度よりも低い信号強度を示す。図１３に図示される実施例では、信号強度は、本開示に従って設計された改良型ダイポールアンテナよりも約１．５〜２ｄＢ弱い。従来のダイポールアンテナの信号強度は、低誘電率値及び高誘電率値の両方で特に低い。従来のダイポールアンテナタグの全体的に低い信号強度１１４は、特に本がより高い又はより低い誘電率を有する場合に、ＲＦＩＤシステムが本内のタグと通信するのをより困難にし得る。
【００６６】
図１４〜図１７は、本明細書に記載される原理に従うＲＦＩＤタグのモデリングデータに基づくグラフである。グラフは、本開示の技術に従うループセグメントを含む改良型ダイポールアンテナの調整に応じる、例示的なインピーダンス変化を図示する。図１４Ａ及び図１４Ｂは、様々なアンテナ長さ、例えば、Ｌアンテナの様々な値に応じる、例示的なインピーダンス変化を図示する。具体的に、図１４Ａは、１００ｍｍ〜１６５ｍｍの様々なアンテナ長さに応じる、インピーダンスの実部の変化を示す。曲線１２２、１２４、１２６、１２８、１３０、１３２及び１３４は、それぞれ、１００、１０９．２８６、１１８．５７１、１２７．８５７、１３７．１４３、１４６．４２９、１５５．７１４及び１６５（ｍｍ単位）と様々なアンテナ長さのインピーダンスの実部（オーム単位）に対応する。同様に、図１４Ｂは、様々なアンテナ長さに応じる、インピーダンスの虚部の変化を示し、曲線１４０、１４２、１４４、１４６、１４８、１５０、１５２及び１５４は、それぞれ、１００、１０９．２８６、１１８．５７１、１２７．８５７、１３７．１４３、１４６．４２９、１５５．７１４及び１６５（ｍｍ単位）と様々なアンテナの長さのインピーダンスの虚部に対応する。
【００６７】
図１５Ａ及び図１５Ｂは、様々なループセグメントの長さ、すなわち、Ｌループに応じる、例示的なインピーダンス変化のグラフである。具体的に、図１５Ａは、３０ｍｍ〜４０ｍｍの様々なループ長さに応じる、インピーダンスの実部の変化を示す。曲線１６０、１６２、１６４及び１６６は、それぞれ、４０、３８、３６及び３０（ｍｍ単位）と様々なループ長さのインピーダンスの実部（オーム単位）に対応する。同様に、図１５Ｂは、様々なループ長さに応じる、インピーダンスの虚部の変化を示し、曲線１７０、１７２、１７４及び１７６は、それぞれ、４０、３８、３６及び３０（ｍｍ単位）と様々なループ長さのインピーダンスの虚部に対応する。図１５に図示されるグラフから分かるように、より長いループ長さ（Ｌループ）は、インピーダンスの実数成分及び虚数成分の増加をもたらす。
【００６８】
図１６Ａ及び図１６Ｂは、本明細書においてループ幅と称される、ループセグメント５０を形成する導電性配線の内側端部と直線セグメント４８を形成する導電性配線の内側端部との間の様々な間隔に応じる、例示的なインピーダンス変化のグラフである。具体的に、図１６Ａは、２ｍｍ及び３ｍｍのループ幅に応じる、インピーダンスの実部の変化を示す。曲線１８０及び１８２は、それぞれ、ループ幅が３ｍｍ及び２ｍｍのインピーダンスの実部（オーム単位）に対応する。同様に、図１６Ｂは、様々なループ幅に応じる、インピーダンスの虚部の変化を示し、曲線１８４及び１８６は、それぞれ、ループ幅が３ｍｍ及び２ｍｍのインピーダンスの虚部に対応する。図１６に図示されるグラフから分かるように、より大きなループ幅、すなわち、ループセグメント５０を形成する導電性配線の内側端部と直線セグメント４８を形成する導電性配線の内側端部との間の間隔は、インピーダンスの実成分及び虚成分の増加をもたらす。
【００６９】
図１７Ａ及び図１７Ｂは、本明細書において「オフセット」と称される、改良型ダイポールアンテナの直線セグメントの幾何学中心線からのループのオフセットに応じる、例示的なインピーダンス変化のグラフである。具体的に、タグの全長及びループ寸法は、一定に保たれる。ループは、タグの中央からオフセット０、１０、２０、３０、４０、５０及び６０ｍｍである。広範の周波数範囲では、大きな変化があった（図示せず）。しかしながら、図１７にプロットされるＵＨＦ  ＲＦＩＤ帯域では、応答は、極めて均一であり、様々なオフセットによって大きく逸脱しない。インピーダンスの実成分は、比較的変化せず、一方虚成分は、オフセットが増加するにつれてわずかに増加する。
【００７０】
ループをオフセットすることによって、改良型ダイポールアンテナの放射パターンに変化がもたらされ得る。図１８は、オフセットが０オフセット（すなわち、対称に設置される）から６０ｍｍのオフセットに移動する際の放射パターンを図示する。曲線２００、２０２、２０４、２０６、２０８、２１０及び２１２は、それぞれ、オフセットが０、１０、２０、３０、４０、５０及び６０（ｍｍ単位）のアンテナの放射パターンを示す。図１８に図示されるように、アンテナのブロードサイド位置に成長する大きなヌルが存在する。
【００７１】
図１９Ａ及び図１９Ｂは、２つのアンテナ設計の例示の全インピーダンスを図示する、スミスチャートである。具体的に、図１９Ａは、従来のダイポールアンテナ、すなわち、ループセグメントのない、全インピーダンスのスミスチャートを図示する。図１９Ｂは、上記に詳細に記載されるループセグメントを含む、改良型アンテナの全インピーダンスのスミスチャートを図示する。図１９Ａ及び図１９Ｂでは、点２２０は、一例示のＩＣチップの最適インピーダンス整合に最適の領域を示す。図１９Ａに図示されるように、従来のダイポールアンテナは、例示のＩＣチップと整合するために必要とされるインダクタンスを達成しない。しかしながら、図１９Ｂに図示されるように、改良型ダイポールアンテナのインピーダンスは、例示のＩＣチップのインピーダンスを達成するために、上述される幾つかの方法のいずれかに従って調整され得る。
【００７２】
様々な実施形態が記載されてきた。これら及び他の実施形態は、以下の特許請求の範囲の範囲内である。
【図１】
2011501513.tif 000004
【図２Ａ】
2011501513.tif 000005
【図２Ｂ】
2011501513.tif 000006
【図３Ａ】
2011501513.tif 000007
【図３Ｂ】
2011501513.tif 000008
【図４】
2011501513.tif 000009
【図５】
2011501513.tif 000010
【図６】
2011501513.tif 000011
【図７Ａ】
2011501513.tif 000012
【図７Ｂ】
2011501513.tif 000013
【図８】
2011501513.tif 000014
【図９】
2011501513.tif 000015
【図１０】
2011501513.tif 000016
【図１１】
2011501513.tif 000017
【図１２】
2011501513.tif 000018
【図１３】
2011501513.tif 000019
【図１４Ａ】
2011501513.tif 000020
【図１４Ｂ】
2011501513.tif 000021
【図１５Ａ】
2011501513.tif 000022
【図１５Ｂ】
2011501513.tif 000023
【図１６Ａ】
2011501513.tif 000024
【図１６Ｂ】
2011501513.tif 000025
【図１７Ａ】
2011501513.tif 000026
【図１７Ｂ】
2011501513.tif 000027
【図１８】
2011501513.tif 000028
【図１９Ａ】
2011501513.tif 000029
【図１９Ｂ】
2011501513.tif 000030
【国際調査報告】
2011501513.tif 000031
2011501513.tif 000032